(57)【要約】【課題】複数の伝送路の中から、適切な伝送路を設定することを可能とする無線通信システムを提供する。【解決手段】無線通信システム１００は、複数の伝送路の中から、ユーザデータの伝送に用いる伝送路を選択する選択部２４と、選択部２４によって選択された伝送路を設定する設定部２５とを備える。選択部２４は、前記ユーザデータの伝送に要求される品質情報に基づいて、ユーザデータの伝送に用いる伝送路を選択する。【選択図】図２
2012114584.tif 000002
【特許請求の範囲】
【請求項１】
複数の伝送路を設定可能な無線端末を備える無線通信システムであって、
前記複数の伝送路の中から、ユーザデータの伝送に用いる伝送路を選択する選択部と、
前記選択部によって選択された伝送路を設定する設定部とを備え、
前記選択部は、前記ユーザデータの伝送に要求される品質情報に基づいて、前記ユーザデータの伝送に用いる伝送路を選択することを特徴とする無線通信システム。
【請求項２】
前記複数の伝送路のそれぞれのスループットを測定する測定部を備え、
前記選択部は、前記ユーザデータの伝送に用いる伝送路の候補から、スループットが所定閾値よりも低い伝送路を除外することを特徴とする請求項１に記載の無線通信システム。
【請求項３】
前記設定部は、通信の開始前において、前記複数の伝送路のそれぞれを順に設定し、
前記測定部は、複数の伝送路のそれぞれのスループットを順に測定することを特徴とする請求項２に記載の無線通信システム。
【請求項４】
前記設定部は、通信の開始後において、前記複数の伝送路のそれぞれを順に設定し、
前記測定部は、複数の伝送路のそれぞれのスループットを順に測定することを特徴とする請求項２に記載の無線通信システム。
【発明の詳細な説明】
【技術分野】
【０００１】
本発明は、複数の伝送路を設定可能な無線端末を備える無線通信システムに関する。
【背景技術】
【０００２】
近年、伝送速度を増大する技術として、ＭＩＭＯ（Ｍｕｌｔｉｐｌｅ  Ｉｎｐｕｔ  Ｍｕｌｔｉｐｌｅ  Ｏｕｔｐｕｔ）技術が注目を集めている（例えば、非特許文献１）。具体的には、ＭＩＭＯ技術では、複数のアンテナのそれぞれから、互いに異なるデータを無線端末に送信することが可能である。従って、伝送容量の増大、伝送信頼性の向上を図ることができる。
【先行技術文献】
【非特許文献】
【０００３】
【非特許文献１】ＩＥＥＥ８０２．１１ｎ、「Ｐａｒｔ１１；Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  Ｓｐｅｃｉｆｉｃａｔｉｏｎ」、２００９年１０月２９日
【発明の概要】
【発明が解決しようとする課題】
【０００４】
ところで、無線端末間では、複数の伝送路を設定することが可能である。このようなケースにおいて、複数の伝送路の中から、いくつの伝送路を設定するのかについて、上述した技術では明確に定められていない。また、複数の伝送路の中から、いずれの伝送路を設定するのかについて、上述した技術では明確に定められていない。
【０００５】
そこで、本発明は、上述した課題を解決するためになされたものであり、複数の伝送路の中から、適切な伝送路を設定することを可能とする無線通信システムを提供することを目的とする。
【課題を解決するための手段】
【０００６】
第１の特徴に係る無線通信システム（無線通信システム１００）は、複数の伝送路を設定可能な無線端末（無線端末１０）を備える。無線通信システムは、前記複数の伝送路の中から、ユーザデータの伝送に用いる伝送路を選択する選択部（選択部２４）と、前記選択部によって選択された伝送路を設定する設定部（設定部２５）とを備える。前記選択部は、前記ユーザデータの伝送に要求される品質情報に基づいて、前記ユーザデータの伝送に用いる伝送路を選択する。
【０００７】
第１の特徴において、無線通信システムは、前記複数の伝送路のそれぞれのスループットを測定する測定部（測定部２３）を備える。前記選択部は、前記ユーザデータの伝送に用いる伝送路の候補から、スループットが所定閾値よりも低い伝送路を除外する。
【０００８】
第１の特徴において、前記設定部は、通信の開始前において、前記複数の伝送路のそれぞれを順に設定する。前記測定部は、複数の伝送路のそれぞれのスループットを順に測定する。
【０００９】
第１の特徴において、前記設定部は、通信の開始後において、前記複数の伝送路のそれぞれを順に設定する。前記測定部は、複数の伝送路のそれぞれのスループットを順に測定する。
【発明の効果】
【００１０】
本発明によれば、複数の伝送路の中から、適切な伝送路を設定することを可能とする無線通信システムを提供することができる。
【図面の簡単な説明】
【００１１】
【図１】図１は、第１実施形態に係る無線通信システム１００の構成を示す図である。
【図２】図２は、第１実施形態に係るアクセスポイント２０の構成を示すブロック図である。
【図３】図３は、第１実施形態に係るメッセージフォーマットを示す図である。
【図４】図４は、第１実施形態に係る無線通信システム１００の動作を示すシーケンス図である。
【図５】図５は、第１実施形態に係る無線通信システム１００の動作を示すシーケンス図である。
【発明を実施するための形態】
【００１２】
以下において、本発明の実施形態に係る無線通信システムについて、図面を参照しながら説明する。なお、以下の図面の記載において、同一又は類似の部分には、同一又は類似の符号を付している。
【００１３】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１４】
［実施形態の概要］
実施形態に係る無線通信システムは、複数の伝送路を設定可能な無線端末を備える。無線通信システムは、複数の伝送路の中から、ユーザデータの伝送に用いる伝送路を選択する選択部と、選択部によって選択された伝送路を設定する設定部とを備える。選択部は、ユーザデータの伝送に要求される品質情報に基づいて、ユーザデータの伝送に用いる伝送路を選択する。
【００１５】
なお、ユーザデータの伝送に要求される品質情報は、例えば、ユーザデータの伝送に要求される利用帯域幅、パケットの送信頻度、物理層の要求送信レート、ユーザデータの伝送に要求されるフレームのサイズなどである。
【００１６】
実施形態では、選択部は、ユーザデータの伝送に要求される品質情報に基づいて、ユーザデータの伝送に用いる伝送路を選択する。従って、複数の伝送路が設定可能な環境下において、ユーザデータの伝送に用いる伝送路として、適切な伝送路を選択（設定）することができる。
【００１７】
［第１実施形態］
（無線通信システムの構成）
以下において、第１実施形態に係る無線通信システムの構成について、図面を参照しながら説明する。図１は、第１実施形態に係る無線通信システム１００の構成を示す図である。
【００１８】
図１に示すように、無線通信システム１００は、無線端末１０と、アクセスポイント２０とを有する。
【００１９】
無線端末１０は、例えば、アクセスポイント２０とユーザデータの通信を行うように構成されている。無線端末１０は、それぞれ、複数のアンテナ１１（ここでは、アンテナ１１Ａ〜アンテナ１１Ｂ）を有する。
【００２０】
アクセスポイント２０は、無線端末１０とユーザデータの通信を行うように構成されている。アクセスポイント２０は、複数のアンテナ２１（ここでは、アンテナ２１Ａ〜アンテナ２１Ｇ）を有する。
【００２１】
ここで、第１実施形態では、MIMO（Ｍｕｌｔｉｐｌｅ  Ｉｎｐｕｔ  Ｍｕｌｔｉｐｌｅ  Ｏｕｔｐｕｔ）技術が用いられる。具体的には、無線端末１０に設けられた複数のアンテナ１１のそれぞれとアクセスポイント２０に設けられた複数のアンテナ２１のそれぞれとの間に伝送路を設定することが可能である。言い換えると、第１実施形態では、４２（７Ｐ２）通りの伝送路を設定可能であることに留意すべきである。
【００２２】
なお、無線端末１０及びアクセスポイント２０は、例えば、ＩＥＥＥ８０２．１１ｎに準拠する無線通信機能を有するものとする。
【００２３】
（アクセスポイントの構成）
以下において、第１実施形態に係るアクセスポイントの構成について、図面を参照しながら説明する。図２は、第１実施形態に係るアクセスポイント２０の構成を示すブロック図である。
【００２４】
図２に示すように、アクセスポイント２０は、複数のアンテナ２１と、通信部２２と、測定部２３と、選択部２４と、設定部２５とを有する。
【００２５】
各アンテナ２１は、個別の伝送路を介して信号を送信する。同様に、各アンテナ２１は、個別の伝送路を介して信号を受信する。
【００２６】
通信部２２は、各アンテナ２１を介して信号を送信する。同様に、通信部２２は、各アンテナ２１を介して信号を受信する。詳細には、通信部２２は、信号の変調、信号の復調、信号の符号化、信号の復号化などを行う。
【００２７】
また、通信部２２は、ＬＬＴＤ（Ｌｉｎｋ  Ｌａｙｅｒ  Ｔｏｐｏｌｏｇｙ  Ｄｉｓｃｏｖｅｒｙ）のようなプロトコルに従って通信を行う機能を有する。
【００２８】
測定部２３は、複数の伝送路のそれぞれのスループットを測定する。具体的には、後述する設定部２５は、無線端末１０とアクセスポイント２０との間で設定可能な複数の伝送路のそれぞれを順に設定し、測定部２３は、無線端末１０とアクセスポイント２０との間で設定された伝送路のスループットを測定する（以下、スループットスキャン処理）。
【００２９】
ここで、無線端末１０とアクセスポイント２０との間の通信の開始前において、スループットスキャン処理が行われてもよい。或いは、無線端末１０とアクセスポイント２０との間の通信の開始後において、スループットスキャン処理が行われてもよい。或いは、無線端末１０とアクセスポイント２０との間の通信の開始前及び開始後において、スループットスキャン処理が行われてもよい。
【００３０】
なお、スループットは、リンクレートであってもよく、エラーレートであってもよく、実測レートであってもよい。
【００３１】
リンクレートは、無線端末１０とアクセスポイント２０との間の通信におけるデータ（例えば、ユーザデータ）の伝送速度の理論値である。例えば、ＡＭＣ（Ａｄａｐｔｉｖｅ  Ｍｏｄｕｌａｔｉｏｎ  Ｃｏｄｉｎｇ）が適用されている場合には、リンクレートは、伝搬環境に基づいて選択された変調方式や符号化方式によって算出される理論値である。なお、リンクレートは、物理層のレートであってもよく、物理層よりも上位層のレートであってもよい。
【００３２】
エラーレートは、無線端末１０とアクセスポイント２０との間の通信におけるデータ（例えば、ユーザデータ）の誤り率である。例えば、エラーレートは、ビットエラー率であってもよく、シンボルエラー率であってもよい。なお、エラーレートが高いほど、スループットが低いことは勿論である。
【００３３】
実測レートは、無線端末１０とアクセスポイント２０との間の通信におけるデータ（例えば、ユーザデータ）の伝送速度の実測値である。例えば、無線端末１０とアクセスポイント２０との間において往復されるＥｃｈｏメッセージに基づいて実測レートが算出される。具体的には、実測レートは、１回のＥｃｈｏメッセージの往復に成功するまでの時間（平均時間など）である。なお、実測レートの詳細については、例えば、特願２００９−１２９９３３号を参照すべきである。なお、実測レートは、物理層のレートであってもよく、物理層よりも上位層のレートであってもよい。
【００３４】
選択部２４は、ユーザデータの伝送に用いる伝送路（すなわち、無線端末１０とアクセスポイント２０との間で設定すべき伝送路）を選択する。ここで、「伝送路の選択」とは、ユーザデータの伝送に用いる伝送路の数を選択する概念を含む。また、「伝送路の選択」とは、ユーザデータの伝送に用いる伝送路の種類（すなわち、無線端末１０に設けられたアンテナ１１とアクセスポイント２０に設けられたアンテナ２１との組み合わせ）を選択する概念を含む。伝送路の選択方法としては、例えば、以下に示す方法が考えられる。
【００３５】
（１）選択部２４は、ユーザデータの伝送に要求される品質情報に基づいて、ユーザデータの伝送に用いる伝送路を選択する。ここで、ユーザデータの伝送に要求される品質情報は、ＱｏＳ（Ｑｕａｌｉｔｙ  ｏｆ  Ｓｅｒｖｉｃｅ）を確保するために用いられる情報である。第１実施形態では、本来、ＱｏＳを確保するために用いられる情報（品質情報）に基づいて、選択部２４が伝送路を選択することに留意すべきである。
【００３６】
ここで、ユーザデータの伝送に要求される品質情報は、例えば、ユーザデータの伝送に要求される利用帯域幅、パケットの送信頻度、物理層の要求送信レート、ユーザデータの伝送に要求されるフレームのサイズなどである。
【００３７】
例えば、ＷＭＭ−ＥＤＣＡ（Ｗｉ−Ｆｉ  Ｍｕｌｔｉｍｅｄｉａ  Ｅｎｈａｎｃｅｄ  Ｄｉｓｔｒｉｂｕｔｅｄ  Ｃｈａｎｎｅｌ  Ａｃｃｅｓｓ）のアドミッション・コントロールでは、無線端末１０からアクセスポイント２０に対して、“ＡＤＤＴＳ  ｒｅｑ．(Ａｄｄ  Ｔｒａｆｆｉｃ  Ｓｔｒｅａｍ  Ｒｅｑｕｅｓｔ)”メッセージを用いて、利用帯域幅を要求することが可能である。なお、ＷＭＭ−ＥＤＣＡでは、利用帯域幅の種類として、「音声」、「ビデオ」、「ベストエフォート」、「バックグラウンド」の４つのカテゴリが設定されている。一般的には、「音声」、「ビデオ」、「ベストエフォート」、「バックグラウンド」の順で利用帯域幅が広い。
【００３８】
例えば、（ａ）選択部２４は、利用帯域幅が広いほど、多い数の伝送路を選択する。或いは、選択部２４は、利用帯域幅が広いほど、スループットが大きい伝送路を選択する。（ｂ）選択部２４は、パケットの送信頻度が高いほど、多い数の伝送路を選択する。或いは、選択部２４は、パケットの送信頻度が高いほど、スループットが大きい伝送路を選択する。（ｃ）選択部２４は、物理層の要求送信レートが高いほど、多い数の伝送路を選択する。或いは、選択部２４は、物理層の要求送信レートが高いほど、スループットが大きい伝送路を選択する。（ｄ）選択部２４は、フレームのサイズが大きいほど、多い数の伝送路を選択する。或いは、フレームのサイズが大きいほど、スループットが大きい伝送路を選択する。
【００３９】
言い換えると、選択部２４は、品質情報によって要求される品質が高いほど、多い数の伝送路を選択する。或いは、品質情報によって要求される品質が高いほど、スループットが大きい伝送路を選択する。
【００４０】
（２）選択部２４は、スループットスキャン処理の結果、ユーザデータの伝送に用いる伝送路の候補から、スループットが所定閾値よりも低い伝送路を除外する。すなわち、選択部２４は、所定閾値以上のスループットを有する伝送路の中から、ユーザデータの伝送に用いる伝送路を選択する。
【００４１】
なお、スループットスキャン処理は、上述したように、無線端末１０とアクセスポイント２０との間の通信の開始前に行われてもよく、無線端末１０とアクセスポイント２０との間の通信の開始後に行われてもよい。
【００４２】
設定部２５は、ユーザデータの伝送に用いる伝送路（すなわち、無線端末１０とアクセスポイント２０との間で設定すべき伝送路）を設定する。具体的には、設定部２５は、選択部２４によって選択された伝送路を設定する。また、設定部２５は、上述したスループットスキャン処理の一環として、無線端末１０とアクセスポイント２０との間で設定可能な複数の伝送路を順に設定する。
【００４３】
（メッセージフォーマット）
以下において、第１実施形態に係るメッセージフォーマットの一例について、図面を参照しながら説明する。図３は、第１実施形態に係るメッセージフォーマットの一例を示す図である。ここで、図３では、データユニットとしてＭＰＤＵを例示し、複数のデータユニットによって構成される集合データユニットとして、Ａ−ＭＰＤＵを例示する。
【００４４】
図３に示すように、Ａ−ＭＰＤＵは、複数のＭＰＤＵによって構成される。Ａ−ＭＰＤＵは、ＣＲＣ、ＭＰＤＵヘッダ、ＭＰＤＵペイロード、ＦＣＳ、ＰＡＤを含む。ＣＲＣ、ＭＰＤＵヘッダ、ＭＰＤＵペイロード、ＦＣＳ、ＰＡＤは、１フレームを構成する。
【００４５】
ＣＲＣ（Ｃｙｃｌｉｃ  Ｒｅｄｕｎｄａｎｃｙ  Ｃｈｅｃｋ）は、１フレームの誤り検出に用いるビット列である。
【００４６】
ＭＰＤＵヘッダは、ＭＰＤＵフレームのヘッダである。ＭＰＤＵヘッダは、フレーム制御、デュレーション、アドレス、シーケンス制御、ＱｏＳ制御などを含む。フレーム制御は、ＭＰＤＵペイロードに含まれるサブフレームの構成を示すフィールドである。デュレーションは、ＭＰＤＵの搬送に必要な予測時間を示すフィールドである。アドレスは、ＭＰＤＵの宛先を示すフィールドである。シーケンス制御は、ＭＰＤＵの順序を示すフィールドである。ＱｏＳ制御は、ＭＰＤＵに要求される品質を示すフィールドである。
【００４７】
ＭＰＤＵペイロードは、ユーザデータ或いは誤り訂正データを含む。例えば、Ａ−ＭＰＤＵがユーザデータユニットを含む場合には、ＭＰＤＵペイロードにはユーザデータが含まれる。Ａ−ＭＰＤＵが誤り訂正データユニットを含む場合には、ＭＰＤＵペイロードには誤り訂正データが含まれる。
【００４８】
ＦＣＳ（Ｆｒａｍｅ  Ｃｈｅｃｋ  Ｓｅｑｕｅｎｃｅ）は、１フレームの誤り検出及び誤り検出に用いるビット列である。
【００４９】
ＰＡＤ（Ｐａｄｄｉｎｇ  Ｄａｔａ）は、１フレームに含まれるデータ長を調整するためのビット列である。例えば、ＰＡＤは、計算機のアラインメントに合致するように、データの不足を調整するためのビット列である。
【００５０】
（無線通信システムの動作）
以下において、第１実施形態に係る無線通信システムの動作について、図面を参照しながら説明する。図４及び図５は、第１実施形態に係る無線通信システム１００の動作を示すシーケンス図である。
【００５１】
第１に、通信開始時において、伝送路を選択する方法について、図４を参照しながら説明する。
【００５２】
図４に示すように、ステップ１０において、無線端末１０は、アクセスポイント２０に対して、“Ａｕｔｈｅｎｔｉｃａｔｉｏｎ  Ｒｅｑ．”メッセージを送信する。ステップ２０において、アクセスポイント２０は、無線端末１０に対して、“Ａｕｔｈｅｎｔｉｃａｔｉｏｎ  Ｒｓｐ．”メッセージを送信する。これによって、無線端末１０とアクセスポイント２０との間の認証手順が完了する。
【００５３】
ステップ３０において、無線端末１０は、アクセスポイント２０に対して、“Ａｓｓｏｃｉａｔｉｏｎ  Ｒｅｑ．”メッセージを送信する。ステップ４０において、アクセスポイント２０は、無線端末１０に対して、“Ａｓｓｏｃｉａｔｉｏｎ  Ｒｓｐ．”メッセージを送信する。これによって、無線端末１０とアクセスポイント２０との間の接続手順が完了する。
【００５４】
ステップ５０において、アクセスポイント２０は、無線端末１０とアクセスポイント２０との間で設定可能な複数の伝送路のそれぞれを順に設定し、無線端末１０とアクセスポイント２０との間で設定された伝送路のスループットを測定する（スループットスキャン処理）。
【００５５】
ステップ６０において、無線端末１０は、着信処理又は発信処理を行う。
【００５６】
ステップ７０において、無線端末１０は、アクセスポイント２０に対して、“ＡＤＤＴＳ  Ｒｅｑ．”メッセージを送信する。ここで、“ＡＤＤＴＳ  Ｒｅｑ．”メッセージは、無線端末１０が要求する利用帯域幅を示す情報を含む。
【００５７】
ステップ８０において、アクセスポイント２０は、無線端末１０に対して、“ＡＤＤＴＳ  Ｒｓｐ．”メッセージを送信する。詳細には、アクセスポイント２０は、無線端末１０が要求する利用帯域幅を確保できる場合には、“ＡＤＤＴＳ  Ｒｓｐ．”メッセージを用いて、通信を許可する旨を無線端末１０に通知する。一方で、アクセスポイント２０は、無線端末１０が要求する利用帯域幅を確保できない場合には、“ＡＤＤＴＳ  Ｒｓｐ．”メッセージを用いて、通信を拒否する旨を無線端末１０に通知する。なお、通信を拒否された場合には、無線端末１０は、他のアクセスポイントへの接続を試みる。ここでは、通信を許可されたものとして、以下の説明を続ける。
【００５８】
ステップ９０において、アクセスポイント２０は、ユーザデータの伝送に要求される品質情報（ここでは、利用帯域幅）に基づいて、ユーザデータの伝送に用いる伝送路を選択する。
【００５９】
なお、アクセスポイント２０は、スループットスキャン処理（ステップ５０）の結果、ユーザデータの伝送に用いる伝送路の候補から、スループットが所定閾値よりも低い伝送路を除外する。すなわち、アクセスポイント２０は、所定閾値以上のスループットを有する伝送路の中から、ユーザデータの伝送に用いる伝送路を選択する。
【００６０】
ステップ１００において、アクセスポイント２０は、ステップ９０で選択された伝送路を設定する。これによって、無線端末１０とアクセスポイント２０との間でユーザデータの通信が開始する。なお、このような通信において、利用帯域幅が確保されることは勿論である。
【００６１】
第２に、通信開始後（通信中）において、伝送路を選択する方法について、図４を参照しながら説明する。
【００６２】
図５に示すように、ステップ１００において、無線端末１０とアクセスポイント２０との間でユーザデータの通信が既に行われている。
【００６３】
ステップ１１０において、アクセスポイント２０は、無線端末１０とアクセスポイント２０との間で設定可能な複数の伝送路のそれぞれを順に設定し、無線端末１０とアクセスポイント２０との間で設定された伝送路のスループットを測定する（スループットスキャン処理）。
【００６４】
ステップ１２０において、アクセスポイント２０は、スループットスキャン処理（ステップ１１０）の結果、ユーザデータの伝送に用いる伝送路の候補から、スループットが所定閾値よりも低い伝送路を除外する。すなわち、アクセスポイント２０は、所定閾値以上のスループットを有する伝送路の中から、ユーザデータの伝送に用いる伝送路を選択する。
【００６５】
（作用及び効果）
実施形態では、選択部２４は、ユーザデータの伝送に要求される品質情報に基づいて、ユーザデータの伝送に用いる伝送路を選択する。従って、複数の伝送路が設定可能な環境下において、ユーザデータの伝送に用いる伝送路として、適切な伝送路を選択（設定）することができる。
【００６６】
実施形態では、選択部２４は、スループットスキャン処理の結果、ユーザデータの伝送に用いる伝送路の候補から、スループットが所定閾値よりも低い伝送路を除外する。従って、複数の伝送路が設定可能な環境下において、ユーザデータの伝送に用いる伝送路として、適切な伝送路を選択（設定）することができる。
【００６７】
なお、通信の開始前にスループットスキャン処理を行うことによって、通信の開始時から、適切な伝送路を選択（設定）することができる。また、通信の開始後にスループットスキャン処理を行うことによって、伝搬環境の変化に応じて、適切な伝送路を選択（設定）することができる。
【００６８】
［実施例］
以下において、第１実施形態の実施例について説明する。
【００６９】
ここでは、無線端末１０とアクセスポイント２０との間で、以下に示す情報が交換可能であるケースについて例示する。
【００７０】
（ａ１）“Ｍｉｎｉｍｕｍ  Ｄａｔａ  Ｒａｔｅ”…ユーザデータの伝送に要求される利用帯域幅の下限を定義する情報（単位：Ｍｂｐｓ）
（ａ２）“Ｍｉｎｉｍｕｍ  ＰＨＹ  Ｒａｔｅ”…物理層の送信レートの下限を定義する情報（単位：ｂｐｓ）
（ａ３）“Ｍｅｄｉｕｍ  Ｔｉｍｅ”…アクセスポイント２０によって許可されたパケットの送信頻度（単位時間において、ユーザデータを送信可能な専有時間）
また、伝送路の利用状況等に基づいて、以下に示す情報をアクセスポイント２０が取得可能であるケースについて例示する。
【００７１】
（ｂ１）“Ｐａｃｋｅｔ  Ｅｒｒｏｒ  Ｒａｔｅ”…直近の単位時間におけるエラーレート（ビットエラー率等）
（ｂ２）“ＰＨＹ  Ｒａｔｅ”…直近の単位時間における物理層のレート（“Ｐａｃｋｅｔ  Ｅｒｒｏｒ  Ｒａｔｅ”に基づいて算出可能である）
（ｂ３）“Ｓｐａｔｉａｌ  Ｕｔｉｌｉｚｅ”…直近の単位時間において、伝送路を専有していた時間
このようなケースにおいて、選択部２４は、例えば、以下のように伝送路を選択する。
【００７２】
（１）選択部２４は、“Ｍｉｎｉｍｕｍ  ＰＨＹ  Ｒａｔｅ”が“Ｍｉｎｉｍｕｍ  Ｄａｔａ  Ｒａｔｅ”よりも大きい伝送路を選択する。すなわち、選択部２４は、“Ｍｉｎｉｍｕｍ  ＰＨＹ  Ｒａｔｅ”が“Ｍｉｎｉｍｕｍ  Ｄａｔａ  Ｒａｔｅ”以下の伝送路を除外する。
【００７３】
（２）選択部２４は、“Ｍｉｎｉｍｕｍ  ＰＨＹ  Ｒａｔｅ”を“ＰＨＹ  Ｒａｔｅ”が下回っていない単位時間（ｘ）における“Ｐａｃｋｅｔ  Ｅｒｒｏｒ  Ｒａｔｅ”の総和（ΣＰＥＲ（ｘ））が閾値（Ｐｔｈｒｅｓｈ’）よりも小さい伝送路を選択する。すなわち、選択部２４は、“Ｐａｃｋｅｔ  Ｅｒｒｏｒ  Ｒａｔｅ”の総和が閾値以上の伝送路を除外する。
【００７４】
（３）選択部２４は、“Ｍｅｄｉｕｍ  Ｔｉｍｅ”が“Ｓｐａｔｉａｌ  Ｕｔｉｌｉｚｅ”よりも大きい伝送路を選択する。すなわち、選択部２４は、“Ｍｅｄｉｕｍ  Ｔｉｍｅ”が“Ｓｐａｔｉａｌ  Ｕｔｉｌｉｚｅ”以下の伝送路を除外する。
【００７５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７６】
上述した実施形態では、測定部２３、選択部２４及び設定部２５がアクセスポイント２０に設けられるケースについて例示した。しかしながら、しかしながら、実施形態は、これに限定されるものではない。測定部２３、選択部２４及び設定部２５は、無線端末１０に設けられていてもよい。
【００７７】
上述した実施形態では、無線端末１０とアクセスポイント２０との間の通信に実施形態が適用されるケースについて例示した。しかしながら、実施形態は、これに限定されるものではない。実施形態は、無線端末１０間の通信に適用されてもよい。このような場合には、測定部２３、選択部２４及び設定部２５は、無線端末１０に設けられていてもよい。
【００７８】
選択部２４は、品質情報によって要求される品質とスループットとを対応付けるテーブルを有していてもよい。このような場合において、選択部２４は、品質情報によって要求される品質と対応付けられたスループットを伝送路のスループットの合計が超えるように、ユーザデータの伝送に用いる伝送路を選択してもよい。
【符号の説明】
【００７９】
１０…無線端末、１１…アンテナ、２０…アクセスポイント、２１…アンテナ、２２…通信部、２３…測定部、２４…選択部、２５…設定部、１００…無線通信システム
【図１】
2012114584.tif 000003
【図２】
2012114584.tif 000004
【図３】
2012114584.tif 000005
【図４】
2012114584.tif 000006
【図５】
2012114584.tif 000007